(57)【要約】【課題】ネットワークで開始されるイベント・リマインダ・アラーティングのための方法および装置を提供すること。【解決手段】より具体的には、本発明は、来たるべきイベントより前にイベント・リマインダ呼出しを開始して、約束や会議などのイベントを移動加入者に警報するネットワーク構成要素を提供するシステムを対象とする。ネットワークは、各イベントの前に加入者に警報するためのユーザ定義イベント・リストおよび対応するリマインダ・データの提供をサポートする。ネットワークは、イベント・スケジュールを監視し、適切な措置を取る。【選択図】図１
2005303976.tif 000002
【特許請求の範囲】
【請求項１】
選択されたイベントについて、リマインダおよびアラーティングを移動局加入者に提供するシステムであって、
加入者情報、イベント・データ、イベント発生データ、およびアラート時間データが格納された加入者データベースと、
前記イベント・データ、前記発生データ、および前記アラート時間データを移動局から受信し、前記イベント・データ、前記イベント発生データ、および前記アラートデータを前記加入者データベースに格納するように動作可能なイベント入力モジュールと、
前記加入者データベースに格納された前記イベント・データ、前記イベント発生データ、および前記アラート時間データを監視するように動作可能なイベント監視モジュールと、
前記イベント監視モジュールによる監視に基づいて、ネットワークで開始される呼出しを前記移動局に与えるように動作可能なイベント通知モジュールとを備えるシステム。
【請求項２】
前記イベント・データが、イベントの記述に対応するオーディオ・データおよびテキスト・データの一方を含む請求項１に記載のシステム。
【請求項３】
前記イベント発生データが、イベントの時刻および日付に関するデータを含む請求項１に記載のシステム。
【請求項４】
前記加入者データベースが、アラートの形の加入者プリファレンスに対応するアラート・プリファレンス・データをさらに含む請求項１に記載のシステム。
【請求項５】
選択されたイベントについて、リマインダおよびアラートを移動局加入者に提供する方法であって、
イベント・データ、発生データ、およびアラート時間データを移動局から受信すること、
前記イベント・データ、前記イベント発生データ、および前記アラートデータを前記加入者データベースに格納すること、
前記加入者データベースに格納された前記イベント・データ、前記イベント発生データ、および前記アラート時間データを監視すること、および
前記監視に基づいて、前記移動局に呼出しを開始することを含む方法。
【請求項６】
前記受信することが、イベントの記述に対応するオーディオ・データおよびテキスト・データの一方を受信することを含む請求項５に記載の方法。
【請求項７】
アラートの形の加入者プリファレンスに対応するアラート・プリファレンス・データを前記加入者から受信することをさらに含む請求項５に記載の方法。
【請求項８】
選択されたイベントについて、リマインダおよびアラートを移動局加入者に提供するシステムであって、
イベント・データ、発生データ、およびアラート時間データを移動局から受信する手段と、
前記イベント・データ、前記イベント発生データ、および前記アラートデータを前記加入者データベースに格納する手段と、
前記加入者データベースに格納された前記イベント・データ、前記イベント発生データ、および前記アラート時間データを監視する手段と、
前記監視に基づいて、前記移動局に呼出しを開始する手段とを備えるシステム。
【請求項９】
受信する前記手段が、イベントの記述に対応するオーディオ・データおよびテキスト・データの一方を受信する手段を備える請求項８に記載のシステム。
【請求項１０】
アラートの形の加入者プリファレンスに対応するアラート・プリファレンス・データを前記加入者から受信する手段をさらに備える請求項８に記載のシステム。
【発明の詳細な説明】
【技術分野】
【０００１】
本発明は、ネットワークで開始されるイベント・リマインダ・アラーティングのための方法および装置に関する。より詳細には、本発明は、来たるべきイベントより前にイベント・リマインダ呼出しを開始して、約束や会議などのイベントを（移動局を介して）移動加入者に警報するネットワーク構成要素を提供するシステムに関する。ネットワークは、各イベントの前に加入者に警報するためのユーザ定義イベント・リストおよび対応するリマインダ・データの提供をサポートする。ネットワークは、イベント・スケジュールを監視し、移動局を介して加入者に警報するように適切な措置を取る。
【背景技術】
【０００２】
本発明は、特に自動リマインダの技術を対象とし、したがって自動リマインダを具体的に参照しながら説明されるが、本発明は他の分野および応用例でも有用性を有することを理解されよう。例えば本発明は、ネットワークで開始されるアラーティングが企図されるどんな応用例でも使用することができる。
【０００３】
背景として、携帯情報端末（ＰＤＡ）の動作と共にスケジューリングを監視し、イベント・リマインダを提供する技術が存在する。しかし、ＰＤＡ中のデータは通常、装置中にローカルに格納され、イベント通知は通常、ビープなどの警報音によって行われる。
【０００４】
ＰＤＡ技術で提供されるローカル記憶域のために、ネットワークの介入は不要である。しかし、ネットワークの介入の欠如は通常、信頼性が低いことを意味する。さらに、ＰＤＡ技術でリマインダ通知として使用される警報音（またはビープ）は、リマインダの性質に関して詳細な情報を伝達しない。その結果として、ＰＤＡユーザは通常、思い起こされたイベントをＰＤＡユーザが判断するのにＰＤＡユーザのカレンダを検討しなければならない。さらに、ＰＤＡユーザは通常、ＰＤＡおよびワイヤレス・フォンを常に携帯しているわけではない。したがって、ユーザが常にＰＤＡを携帯しているわけではない場合、リマインダが常にはユーザに伝わらないことになる。
【発明の開示】
【発明が解決しようとする課題】
【０００５】
したがって、十分な詳細を提供する意味のあるリマインダをユーザが受信することを可能にする、ユーザが常に携帯するモバイル装置、例えばワイヤレス・フォンを使用することによって配置される、ネットワークで開始されるリマインダ・システムを有することは有用かつ望ましいことであろう。
本発明では、上述の困難およびその他を解決する、新しくかつ改良型の、ネットワークで開始されるリマインダおよびアラート・システムが企図される。
【課題を解決するための手段】
【０００６】
ネットワークで開始されるイベント・リマインダ・アラーティングのための方法および装置が提供される。
本発明の一態様では、このシステムは、加入者情報、イベント・データ、イベント発生データ、およびアラート時間データが格納された加入者データベースと、イベント・データ、発生データ、およびアラート時間データを移動局から受信し、イベント・データ、イベント発生データ、およびアラートデータを加入者データベースに格納するように動作可能なイベント入力モジュールと、加入者データベースに格納されたイベント・データ、イベント発生データ、およびアラート時間データを監視するように動作可能なイベント監視モジュールと、イベント監視モジュールによる監視に基づいて、ネットワークで開始される呼出しを移動局に与えるように動作可能なイベント通知モジュールとを備える。
【０００７】
本発明の別の態様では、イベント・データは、イベントの記述に対応するオーディオ・データおよびテキスト・データの一方を含む。
本発明の別の態様では、イベントは繰返しイベントである。
本発明の別の態様では、イベント発生データは、イベントの時刻および日付に関するデータを含む。
本発明の別の態様では、イベント発生データはテキスト・データを含む。
【０００８】
本発明の別の態様では、加入者データベースは、アラートの形の加入者プリファレンスに対応するアラート・プリファレンス・データをさらに含む。
本発明の別の態様では、アラート・プリファレンス・データは、テキスト・データおよびボイス・データの一方を含む。
【０００９】
本発明の別の態様では、イベント入力モジュールはさらに、ボイス・データをテキスト・データに変換するように動作可能である。
本発明の別の態様では、イベント入力モジュールはさらに、テキスト・データをボイス・データに変換するように動作可能である。
【００１０】
本発明の別の態様では、ネットワーク開始呼出しは告知を含む。
本発明の別の態様では、ネットワーク開始呼出しはテキスト・データを含む。
【００１１】
本発明の別の態様では、この方法は、イベント・データ、発生データ、およびアラート時間データを移動局から受信すること、イベント・データ、イベント発生データ、およびアラートデータを加入者データベースに格納すること、加入者データベースに格納されたイベント・データ、イベント発生データ、およびアラート時間データを監視すること、および監視に基づいて、移動局に呼出しを開始することを含む。
【００１２】
本発明の別の態様では、受信することは、イベントの記述に対応するオーディオ・データおよびテキスト・データの一方を受信することを含む。
本発明の別の態様では、イベントは繰返しイベントである。
【００１３】
本発明の別の態様では、受信することは、イベントの時刻および日付に関するデータを含むイベント発生データ上のオーディオ・データおよびテキスト・データの一方を受信することを含む。
本発明の別の態様では、この方法は、オーディオ・データとして受信したイベント発生データをテキスト・データに変換することをさらに含む。
【００１４】
本発明の別の態様では、この方法は、アラートの形の加入者プリファレンスに対応するアラート・プリファレンス・データを加入者から受信することをさらに含む。
本発明の別の態様では、アラート・プリファレンス・データは、テキスト・データおよびボイス・データの一方を含む。
【００１５】
本発明の別の態様では、この方法は、ボイス・データをテキスト・データに変換することをさらに含む。
本発明の別の態様では、この方法は、テキスト・データをボイス・データに変換することをさらに含む。
【００１６】
本発明の別の態様では、呼出しを開始することは、告知を開始することを含む。
本発明の別の態様では、呼出しを開始することは、テキスト・メッセージ呼出しを開始することを含む。
【００１７】
本発明の別の態様では、このシステムは、イベント・データ、発生データ、およびアラート時間データを移動局から受信する手段と、イベント・データ、イベント発生データ、およびアラートデータを加入者データベースに格納する手段と、加入者データベースに格納されたイベント・データ、イベント発生データ、およびアラート時間データを監視する手段と、監視に基づいて、移動局に呼出しを開始する手段とを備える。
【００１８】
本発明の別の態様では、受信する手段は、イベントの記述に対応するオーディオ・データおよびテキスト・データの一方を受信する手段を備える。
本発明の別の態様では、イベントは繰返しイベントである。
本発明の別の態様では、受信する手段は、イベントの時刻および日付に関するデータを含むイベント発生データ上のオーディオ・データおよびテキスト・データの一方を受信する手段を含む。
【００１９】
本発明の別の態様では、このシステムは、オーディオ・データとして受信したイベント発生データをテキスト・データに変換する手段をさらに備える。
本発明の別の態様では、このシステムは、アラートの形の加入者プリファレンスに対応するアラート・プリファレンス・データを加入者から受信する手段をさらに備える。
本発明の別の態様では、アラート・プリファレンス・データは、テキスト・データおよびボイス・データの一方を含む。
【００２０】
本発明の別の態様では、このシステムは、ボイス・データをテキスト・データに変換する手段をさらに備える。
本発明の別の態様では、このシステムは、テキスト・データをボイス・データに変換する手段をさらに備える。
【００２１】
本発明の別の態様では、呼出しを開始する手段は、告知を開始する手段を備える。
本発明の別の態様では、呼出しを開始する手段は、テキスト・メッセージ呼出しを開始する手段を備える。
【００２２】
本発明の別の適用可能範囲は、以下に与える詳細な説明から明らかとなるであろう。しかし、詳細な説明および特定の例は、本発明の好ましい実施形態を示すものの、単に例として与えるに過ぎない。本発明の精神および範囲内の様々な変更および修正が当業者には明らかとなるからである。
【発明を実施するための最良の形態】
【００２３】
ここで各図面を参照する。各図面は単に本発明の好ましい実施形態を例示するためのものに過ぎず、本発明を限定するためのものではない。図１に、本発明によるシステムをその中に実装することのできる例示的ネットワークの図を与える。図示するように、ネットワーク１０は移動局１２と通信する。ネットワーク１０は様々な構成として形成することができる。しかし、図示するように、ネットワーク１０は、移動交換局（ＭＳＣ）１６と通信する基地局またはセル・サイト１４を含む。移動交換局（ＭＳＣ）１６は、様々な他のネットワークまたはネットワーク構成要素と通信することができるが、図示するように、公衆交換電話網（ＰＳＴＮ）１８と通信する。加えて、移動交換局（ＭＳＣ）１６は加入者データベース２０と通信する。
【００２４】
移動局１２に関しては、移動局１２は、ワイヤレス・フォン、（ワイヤレス接続を備える）携帯情報端末（ＰＤＡ）、ページャなどの様々な周知の移動体通信装置のいずれかを備えることができる。図２から６に関連してより詳細に説明するが、移動局１２は基地局１４と通信し、ネットワーク内のイベント・リストおよびアラーティングに関するスケジュール、すなわち移動交換局（ＭＳＣ）１６および適切なデータベースをセットアップする。移動局１２はまた、ネットワーク内の移動局１２のユーザによってセットアップされるイベント・リストおよびスケジュールに基づいて、ネットワーク・アラートを受信するように動作可能である。本発明による移動局１２の動作は、移動局１２のユーザがサービス・プロバイダによって提供される本発明のアラート・サービスに加入しているか否かに依存することも好ましい。こうした加入データはネットワークで維持される。
【００２５】
動作の際に、注記したように、加入移動局１２は、イベント・リストおよび移動局１２に警報することに関するスケジュールをセットアップするのに使用される。より具体的には、移動局１２は、基地局１４と通信し、基地局１４がこの情報を移動交換局（ＭＳＣ）１６に通信して適切な措置を講じることによってこのことを実施する。
【００２６】
この点で、図２に関連してより詳細に説明するが、移動交換局（ＭＳＣ）１６は、イベント・リストおよびスケジュールのセットアップを実施し、適切なデータを受信し、移動局１２のユーザが適切なサービスの有効な加入者であるか否かを判定し、または後続のネットワークで開始される移動局１２のアラーティングを実施するように動作可能である。すべてのネットワークが本質的に移動交換局を使用するわけではないことも理解されたい。しかし、ネットワーク構成要素が主交換機能を実施するどんなものにも本発明を適用することができる。
【００２７】
図３に関連してより詳細に説明するが、加入者データベース２０は、移動局１２に関連する適切なホーム・ロケーション・レジスタ（ＨＬＲ）を含む様々な位置に配置することができる。話を簡単にするために、加入者データベース２０をスタンドアロン・データベースとして示す。しかし、加入者データベース２０は、様々な位置に存在することができ、様々な形態を取ることができる。本発明の実装では、加入者データベースの機能は、本発明によるネットワークで開始されるリマインダおよびアラートを実施するように、イベント・リストおよびアラーティング・スケジュールを格納することである。具体的には、加入者データベースは、加入者情報、イベント・データ、イベント発生データ、およびアラート時間データを格納する。
【００２８】
次に図２を参照すると、本発明による移動交換局（ＭＳＣ）１６のブロック図が示されている。移動交換局（ＭＳＣ）１６は、当業者に周知の様々なネットワーク機能を実施することを理解されたい。しかし図２の強調点は、本発明に対処するように移動交換局（ＭＳＣ）に行われる修正を示すことである。一般的に周知のネットワーク要素および移動交換局の機能は示されていない。
【００２９】
これを念頭に置いて、移動交換局（ＭＳＣ）１６は、イベント入力モジュール２４、イベント監視モジュール２６、およびイベント通知モジュール２８を含む。イベント入力モジュール２４は、イベント・データ、発生データ、およびアラート時間データを加入者の移動局１２から受信し、イベント・データ、イベント発生データ、およびアラート時間データを加入者データベース２０に格納するように動作可能である。さらに、イベント入力モジュール２４はまた、ボイス・データをテキスト・データに変換し、かつ／またはテキスト・データをボイス・データに変換するように動作可能である。こうした変換を実施する手順は、当技術分野で周知である。イベント監視モジュール２６は、加入者データベースに格納されたイベント・データ、イベント発生データ、アラート時間データを監視するように動作可能である。これに関して、イベント監視モジュール２６は、必要なアラートの検出時に、イベント通知モジュール２８を動作状態にトリガする。最後に、イベント通知モジュール２８は、イベント監視モジュールによる監視に基づいて、加入者、例えば移動局１２に対してネットワークで開始される呼出しを与えるように動作可能である。イベント入力モジュール２４と同様に、イベント通知モジュール２８は、様々な周知の技法のいずれかを使用して、ボイス・データまたはオーディオ・データをテキスト・データに変換し、テキスト・データをオーディオ・データに変換する手段を含む。
【００３０】
次に図３を参照すると、ユーザ定義イベント・リスト２２がその一部として形成された加入者データベース２０が示されている。図からわかるように、加入者データベース２０は、加入者識別情報３０、加入者がアラート・サービスに加入しているか否かを示すためのフラグ・データ（Ｆ）の形の加入者情報３２、イベント・データ３４、時刻データおよび日付データの形を取るイベント発生データ３６、アラート時間データ３８、およびアラート・プリファレンス・データ４０を含む。様々な可能な方式のうちの単なる１つでデータ構成およびデータ構造が示されていることを理解されたい。
【００３１】
図３に示す例では、加入者＃１がデータ・ブロック４２を占有し、４４で加入者情報フラグが「１」にセットされているように示されている。データの性質が応用例ごとに異なる可能性があることを考えると、議論の都合上、このイベント・リストの例示は、データ・ブロック内の実際のデータを示しているわけではない。例えば、イベント・データ３４は、ユーザによって入力されるオーディオ・データ、またはやはりユーザが入力することのできるテキスト・データを含むことができる。いずれの形でも、イベント・データ３４が「会議」などの単純なテキスト・ワードであっても、加入者によって記録されたより長いオーディオ・セグメントであっても、イベント・データ３４はイベントの記述に対応する。上述のように、イベント入力モジュール２４は、ユーザの目的に応じて、オーディオ・データをテキスト・データに変換し、またはテキスト・データをオーディオ・データに変換するように動作可能であり、そのように実装することができる。
【００３２】
一実施形態でのイベント発生データ３６は、対応するイベントの時刻および日付に関するデータを含む。アラート時間データ３８は、移動局１２を介してイベントが発生することを加入者に警報する指定の時刻に関するデータを含む。例えば、アラート時間データは、イベントの１時間前に加入者が通知を受けるように指示することができる。もちろん、このデータも多くの形式を取ることができる。大部分の状況では、イベント発生データ３６は、イベント監視モジュール２６によって適切に監視できるようにテキスト・データを含む。同様に、アラート時間データ３８も、大部分の状況では、ＭＳＣによって適切に監視および通知するためにテキスト・データとして格納される。
【００３３】
アラート・プリファレンス・データ４０は、加入者に提供すべきアラートの形の加入者プリファレンスに関する表示を含む。この点で、アラート・プリファレンス・データ４０は、テキスト・データまたはボイス・データの表示の一方を含む。この情報は、イベント通知モジュール２８が適切な通知を移動局１２に提供するときにイベント通知モジュール２８によって使用される。このようにして、イベント通知モジュール２８は、音声告知を移動局１２に提供するように使用することができ、または移動局１２上で閲覧されるテキスト・メッセージを提供するように使用することができる。
【００３４】
データ・ブロック４６では、加入者＃ｎ−１が、４８で加入者情報フラグが「０」にリセットされているように示されている。この場合、加入者フラグは、「０」と示されているので、イベント・リストにデータを入力する必要はない。しかし、図示するように、デフォルト値０を適切なデータ・ブロック内に入力することもできる。加入者＃１と同様に、５０のところに示される加入者＃ｎは、加入者情報フラグが「１」にセットされている。この場合も、イベント・データ、イベント発生データ、アラート時間データ、およびアラート・プリファレンス・データが取ることのできる様々な形があるので、実際のデータがこうしたブロック内に格納されるようには図示していない。
【００３５】
図示していないが、イベントが繰返しイベントであるか否かを示すために追加のフィールドを設けることができる。この場合、データ・フィールドは、イベントが発生する頻度に関する表示を含むことも好ましい。これにより、イベント監視モジュール２６による、より効果的な監視が可能となる。繰返しイベント・データ・フィールドにより、システムが、通知およびアラートを既に提供したイベントをイベント・リストから削除し、しかも将来のアラートを提供することができるようにその中の繰返しイベントを維持することも可能となる。
【００３６】
次に図４を参照すると、例示的方法１００が示されている。方法１００は、本発明を読んで理解した際に当業者にとって明らかとなる方式で、図１、２、および３に示されるネットワーク構成要素、またはその変形形態と、そうした構成要素間に配布される適切なソフトウェア・ルーチンとを使用して実施できることを理解されたい。もちろん、本発明の構造および目的の変形形態を実施することができ、依然として本発明の範囲内にある。
【００３７】
図示するように、方法１００は、最初に、移動局１２を使用する移動加入者が、ネットワーク上でイベント・リストおよびアラート・スケジュールをセットアップすることを可能にすることを含む（ステップ１０２）。上記から理解するであろうが、移動交換局（ＭＳＣ）１６は、イベント・データ、イベント発生データ、アラート時間データを移動局１２から受信する。次いで移動交換局（ＭＳＣ）１６は、イベント・データ、イベント発生データ、およびアラート時間データを、図３に示すようなフォーマットで加入者データベース２０に格納する。アラート・プリファレンス・データも提供および格納することができる。移動交換局（ＭＳＣ）１６へのデータ入力および加入者データベースへのデータの格納は、イベント入力モジュール２４によって処理される。
【００３８】
移動交換局（ＭＳＣ）１６はまた、加入者データベース２０（例えば図３のデータ・フィールド３４、３６、３８）を監視して、イベント・リスト２２内に列挙されたイベントのいずれかについて移動局１２に警報するときであるか否かを判断する（ステップ１０４）イベント監視モジュール２６も含む。そうしたアラートを行うべきでないと判断した場合、システムは「何も行わない」（ステップ１０５）。しかし、アラートを提供すべきイベントが発生するとイベント監視モジュール２６が判断した場合、一実施形態では、音声合成技法を使用してイベント・テキストを音声に変換する（ステップ１０６）。次に、移動局１２は警報を受け、イベント通知モジュール２８を使用して、移動局１２に対して告知が再生される（ステップ１０８）。
【００３９】
図４の方法は、本発明に関する単なる１つの可能な動作を示すに過ぎないことを理解されたい。本発明を読んで理解することにより、その他の変形形態が明らかとなるであろう。例えば、イベント・データは、（例えば「あと１時間でグループ会議があります」と述べる）加入者の音声の記録を表すオーディオ・データとして格納することができる。このケースでは、ユーザ・アラート・プリファレンス４０がオーディオ・アラートを提供すべきであることを示す場合、音声合成は不要である。
【００４０】
次に図５を参照すると、図３で識別されるイベント・リスト２２に関するセットアップを示すためにコール・フロー、またはシーケンス・ダイアグラム５００が与えられている。図示するように、移動局１２は、モバイル・イベント・セットアップ要求５０２をセル・サイト１４に送信する。モバイル・イベント・セットアップ要求は、イベント・データ、イベント発生データ、アラート時間データ、およびアラート・プリファレンス・データを含むことができることを理解されたい。
【００４１】
次いでモバイル・イベント・セットアップ要求５０４は移動交換局（ＭＳＣ）１６に転送され、イベント入力モジュール２４で受信される。次いで５０６および５０８で示すように、移動交換局（ＭＳＣ）１６の入力モジュール２４は、ホーム・ロケーション・レジスタ（ＨＬＲ）２１を介して加入者データベース２０に照会する。（例えば図３に示す）加入者データベース２０内のイベント・リスト２２がアクセスされ、セットアップ・メッセージ５０２、５０４で提供されるデータに基づいて、適切なデータが加入者データベース２０に格納される。タスクが完了すると、線５１０および５１２で示すように、移動交換局（ＭＳＣ）１６が信号を受ける。次いで線５１４および５１６で示すように、移動交換局（ＭＳＣ）１６のイベント入力モジュール２４は、イベント・セットアップ確認メッセージをセル・サイト１４に送り戻し、次いで移動局１２に送り戻す。このようにして、移動局１２は、イベントがリストされており、ネットワークによって適切に監視され、それによって適切な通知を移動局１２に送信することができるように保証される。
【００４２】
加入者が本発明のイベント・アラーティング機構をセットアップすると、移動交換局（ＭＳＣ）１６は、加入者データベース２０（例えば、イベント・データ、イベント発生データ、およびアラート時間データに関するフィールド）を監視し、移動局１２に対するアラートが必要となるときを判断する。次に図６を参照すると、移動交換局１６のイベント監視モジュール２６を使用することによって監視が実施される。監視技法は当技術分野で周知である。線６０２および６０４で示すように、データベース２０に格納されたイベント・アラート時間が経過したことを検出したとき、移動交換局（ＭＳＣ）１６は、加入者データベースから適切な情報、すなわちイベント・リスト２２を得る。次いで、イベント通知モジュール２８を介して、移動交換局（ＭＳＣ）１６は、リマインダまたはアラート呼出しを開始する。ＭＳＣページ・メッセージ６０６がセル・サイト１４に送信され、次いでセル・サイト１４は、ページ・モバイル・メッセージ６０８を移動局１２に転送する。ページ・モバイル・メッセージは、アラートが行われる移動局１２に対するリングまたはその他の表示の形を取ることができる。次いで線６１０および６１２で示すように、移動局１２は、ページ応答を移動交換局（ＭＳＣ）１６に戻すことによってページに応答する。このことは、単に呼出しに応答することによって実施することができる。次いで線６１４および６１６で示すように、適切なメッセージ情報がイベント・データベースから取り出され、次いで線６１８および６２０で示すように、告知メッセージが移動局１２に与えられる。アラートの形態は、アラート・プリファレンス・データ４０に基づくことができる。
【００４３】
図６に示すコール・フロー６００は、本発明によるシステムで行うことのできる多数の環境の一例に過ぎないことを理解されたい。例えば、アラートとして移動局１２に最終的に転送されるメッセージは、テキスト・メッセージの形を取ることもできる。ネットワーク（例えばイベント通知モジュール）は、アラート・プリファレンス情報４０から、告知またはテキスト・メッセージが指定のユーザにとって適切であるか否かを判断することができる。同様に、システム内のデータの様々なタイプにより、様々なコール・フローを命令することができる。例えば、音声合成または音声認識を、この手順内のステップとして含めることができる。
【００４４】
上記の説明は、単に本発明の特定の実施形態の開示を与えるものに過ぎず、本発明を限定するものではない。したがって、本発明は上述の実施形態だに限定されない。むしろ、本発明の範囲内に包含される代替実施形態を当業者は思いつくことができることを理解されたい。
【００４５】
本発明は、装置の様々な部品の構成、配置、および組合せ、ならびに方法のステップとして存在し、それによって、以下でより完全に説明され、具体的には特許請求の範囲で指摘され、添付の図面で示される、企図される目的が達成される。
【図面の簡単な説明】
【００４６】
【図１】本発明を組み込むことのできるネットワークを示す図である。
【図２】本発明による移動交換局（ＭＳＣ）のブロック図である。
【図３】本発明によるデータベース構造の例示的な図である。
【図４】本発明による方法を示す流れ図である。
【図５】本発明の一実施形態を示すコール・フローまたはシーケンス・ダイアグラムである。
【図６】本発明の一実施形態を示すコール・フローまたはシーケンス・ダイアグラムである。
【図１】
2005303976.tif 000003
【図２】
2005303976.tif 000004
【図３】
2005303976.tif 000005
【図４】
2005303976.tif 000006
【図５】
2005303976.tif 000007
【図６】
2005303976.tif 000008
【外国語明細書】
2005303976.tif 000009
2005303976.tif 000010
2005303976.tif 000011
2005303976.tif 000012
2005303976.tif 000013
2005303976.tif 000014
2005303976.tif 000015
2005303976.tif 000016
2005303976.tif 000017
2005303976.tif 000018
2005303976.tif 000019
2005303976.tif 000020
2005303976.tif 000021
2005303976.tif 000022
2005303976.tif 000023
2005303976.tif 000024
2005303976.tif 000025
2005303976.tif 000026
2005303976.tif 000027
2005303976.tif 000028
2005303976.tif 000029
2005303976.tif 000030
2005303976.tif 000031
2005303976.tif 000032